(57)【要約】【課題】印刷機、複写機、孔版印刷機の製版装置などの画像形成装置において、出力用紙（製版装置の場合は孔版原紙）に、それより面積の小さい原稿画像を複数連写する用途がある。変倍を行わない画像形成の場合、用紙に対して原稿画像を一定方向に配列したのでは、それぞれの長辺・短辺の長さ関係によっては無駄な余白が大きくなる可能性がある。【解決手段】用紙に対して原稿画像を一定方向に配列した場合の配列面数を基礎配列面数として算出し、発生する余白に、原稿画像の向きを変えて配置しなおしたとき、新たに追加できる配列面数を余白配列面数として、基礎配列面数と合算して総配列面数Ｄ１を求める。次いで前記一定方向を９０°変えて配列しなおして時の同様な総配列面数を算出し、Ｄ２を求める。Ｄ１とＤ２の割付状況を表示手段にそれぞれ図形表示し、両者のうち大きい方を最大配列面数として、その図形を強調表示する。【選択図】図１
2008142969.tif 000002
【特許請求の範囲】
【請求項１】
原稿の画像を、それよりも面積の大きい同一の印刷用紙もしくは孔版原紙（以下、単に用紙と呼ぶ）に多面連写出力することができる画像形成装置であって、不定形サイズの原稿画像を所定サイズの用紙に多面連写出力する場合に、前記用紙に対し、原稿画像の縦方向および横方向の混在を許したときに得られる最大の配列面数を算出することを特徴とする原稿画像配列方法。
【請求項２】
請求項１に記載の原稿画像配列方法において、基礎配列として用紙長辺方向に原稿長辺方向を合わせた配列と、用紙長辺方向に原稿短辺方向を合わせた配列の双方について配列面数を算出し、双方の算出結果を表示手段にそれぞれ図形で表示することを特徴とする原稿画像配列方法。
【請求項３】
請求項２に記載の原稿画像配列方法において、前記双方の算出結果のうち、配列面数の大きい方の図形を強調表示することを特徴とする原稿画像配列方法。
【請求項４】
請求項３に記載の原稿画像配列方法において、前記強調表示されている図形から、他方の図形に強調表示を変更できることを特徴とする原稿画像配列方法。
【請求項５】
請求項１ないし４のいずれか１つに記載の原稿画像配列方法によって算出された配列面数を用いて画像形成するカスタムリピートモードと、予め定められた複数の標準的連写面数から任意の面数を指定して画像形成する標準リピートモードのいずれかを選択することができることを特徴とする画像形成方法。
【請求項６】
請求項１ないし４のいずれか１つに記載の原稿画像配列方法によって算出された配列面数を用いて画像形成するカスタムリピートモードと、予め定められた複数の標準的連写面数から任意の面数を指定して画像形成する標準リピートモードのいずれかを選択することができるリピート指定手段と、選択されたリピートモードに基づいて、原稿画像が配列された画像データを作成する画像データ作成手段とを備えたことを特徴とする画像形成装置。
【発明の詳細な説明】
【技術分野】
【０００１】
本発明は印刷用紙、あるいは孔版印刷機の製版原紙に画像を形成する画像形成装置における不定型サイズの原稿多面連写印刷に関する。
【背景技術】
【０００２】
図９は従来の原稿多面連写印刷における設定画面を示す図である。
図１０は警告表示の一例を示す図である。
図９は定型サイズの原稿を前提としたリピート印刷（同一原稿の複数繰り返し印刷）のための設定画面であって、読み取り用にセットした原稿が不定形サイズであった場合、図１０に示すような警告を表示して、定型サイズの原稿を要求することになる。
これに対し、不定形サイズの原稿をそれより面積の大きいサイズの用紙に一方向に繰り返し印刷する画像形成装置が提案されている（例えば、特許文献１  参照。）。この装置では、形成される画像の２次元的な配置は考慮していないので、用紙幅に対して原稿幅が小さい場合の処理が明確ではなく、場合によっては大幅な空白部が生じ、用紙の無駄が避けられないことがある。
用紙長さと原稿長さとの比、および用紙幅と原稿幅との比、の双方をチェックして用紙内に原稿を２次元的に配置する提案がある（例えば、特許文献２  参照。）。
上記提案では、用紙内に形成する画像をすべて同じ向きに揃えているので（画像の向きの縦横混在を許さないので）、原稿の縦横比と用紙の縦横比によっては、たとえ変倍を利用しても、用紙の利用効率が低くなる場合がある。
不定形サイズを用いる理由は、定型サイズをそのまま利用できない事情があるからなので、コピーする場合も等倍のままでコピーしたいという用途が多い。したがって、変倍を行わないとすれば、通常の考え方では用紙の無駄な空白部分が多くなりやすい。
【０００３】
【特許文献１】特開２００１−３４７７３９号公報
【特許文献２】特開２００５−５５５１３号公報
【発明の開示】
【発明が解決しようとする課題】
【０００４】
出力用紙サイズより面積の小さい不定形原稿を等倍でリピートコピーしても、効率よく用紙を利用できるようにする。
【課題を解決するための手段】
【０００５】
請求項１に記載の発明では、原稿の画像を、同一の印刷用紙もしくは孔版原紙（以下、単に用紙と呼ぶ）に多面連写出力することができる画像形成装置であって、不定形サイズの原稿画像を所定サイズの用紙に多面連写出力する場合に、前記用紙に対し、原稿画像の縦方向および横方向の混在を許したときに得られる最大の配列面数を算出する原稿画像配列方法を特徴とする。
請求項２に記載の発明では、請求項１に記載の原稿画像配列方法において、基礎配列として用紙長辺方向に原稿長辺方向を合わせた配列と、用紙長辺方向に原稿短辺方向を合わせた配列の双方について配列面数を算出し、双方の算出結果を表示手段にそれぞれ図形で表示することを特徴とする。
請求項３に記載の発明では、請求項２に記載の原稿画像配列方法において、前記双方の算出結果のうち、配列面数の大きい方の図形を強調表示することを特徴とする。
【０００６】
請求項４に記載の発明では、請求項３に記載の原稿画像配列方法において、前記強調表示されている図形から、他方の図形に強調表示を変更できることを特徴とする。
請求項５に記載の発明では、請求項１ないし４のいずれか１つに記載の原稿画像配列方法によって算出された配列面数を用いて画像形成するカスタムリピートモードと、予め定められた複数の標準的連写面数から任意の面数を指定して画像形成する標準リピートモードのいずれかを選択することができる画像形成方法を特徴とする。
請求項６に記載の発明では、請求項１ないし４のいずれか１つに記載の原稿画像配列方法によって算出された配列面数を用いて画像形成するカスタムリピートモードと、予め定められた複数の標準的連写面数から任意の面数を指定して画像形成する標準リピートモードのいずれかを選択することができるリピート指定手段と、選択されたリピートモードに基づいて、原稿画像が配列された画像データを作成する画像データ作成手段とを備えた画像形成装置を特徴とする。
【発明の効果】
【０００７】
不定形サイズの原稿を等倍でリピートコピーするに当って、所定の記録用紙に対し、最大のリピート面数を確保できる。
【発明を実施するための最良の形態】
【０００８】
図１は本発明による印刷設定画面の一例を示す図である。
同図は例えばパソコンに接続されたプリンタに出力する場合を示している。複写機等の印刷設定画面の場合も、表現の違いが若干あるものの、本質的には同等の機能を有している。ただし、複写機や孔版印刷機の製版装置の場合は印刷設定画面を表示できるディスプレイが備えられているものとする。
原稿サイズがＡ判系列やＢ判系列のいわゆる定型サイズに対し、それらに合致しない、いわゆる不定形サイズを有する場合、「原稿サイズ」の入力枠の端にある下向き三角印（▽）をクリックすると、各種定型サイズの表示がスクロールされるとともにそのｍｍ単位の幅と長さが表示される。それらのさらに下方にスクロールすると「不定形サイズ」という項目が表示され、よく使われる不定形サイズが何種類かｍｍ単位の大きさと共に表示される。その項目を選ぶと上記枠内にその文字が入る。原稿としては、縦と横の長さが異なっているのが普通であるが、まれに正方形の場合もある。この場合でも任意の一方を幅（短辺方向）、他方を長さ（短辺方向）と呼ぶことにする。
【０００９】
どれにも該当しないときは、具体的な幅・長さの記載のない「不定形サイズ」という項目があり、それを選ぶと、オペレータが自分で原稿サイズを入力できるようになっている。ただし、予めパソコン上に印刷したい原稿が呼び出してある場合は、その原稿に定められているページ設定による原稿サイズが読取られて、画面の原稿サイズの枠内に表示されるように設定することもできる。複写機で直接コピーする場合は、原稿を原稿載置台に載せた時点で原稿サイズを読取るか、原稿読み取りを済ませた時点で読取った原稿サイズを認識して、「原稿サイズ」の入力枠に自動的に入力させることができる。
同図の例では不定形サイズの第１０番目として設定されている幅５０ｍｍ、長さ１４０ｍｍの原稿サイズが選ばれたことを示している。
【００１０】
次にリピート指定手段によって、リピートコピーをするか否かを選ぶ。「リピート」のチェックボックスをクリックすると、ボックス内にチェックマークが表示される。このとき、原稿サイズが定型サイズであった場合は、標準リピートモードとして、例えば２面リピートが未入力時の自動表示（いわゆるデフォルト）として表示され、変更したい場合は右端の三角印（▽）をクリックして所望のリピート面数を選ぶ。原稿サイズが不定形サイズに指定されている場合はカスタムリピートモーが使われる可能性が高いので、「カスタムリピート」がデフォルトで表示される。このモードをそのまま使用する場合は変更の必要がないので、次の用紙サイズ設定を行う。もし、定型サイズのときと同様の、単純な２面コピー等の規定面数にしたい場合は上記と同様にして標準リピートモードに変更すればよい。不定形サイズの原稿に対し規定面数を採用すると、形成画像の相互の間に余白ができるので、出力されたコピーをそれぞれの画像サイズに裁断する場合は余裕を持って行うことができるので便利な場合がある。
【００１１】
出力サイズ（記録用紙サイズ）は、例えば、一般によく使われるＡ４サイズをデフォルトとして表示しておき、必要に応じて変更できるようにしておく。変更の方法はリピートモードの選択と同様な方法で行うことができる。出力サイズもすべて定型である必要はない。よく使われる不定形サイズを、ユーザが登録設定しておくことができるようにしておいてもよい。
これらの条件が揃うと、カスタムリピートの場合、指定された記録用紙に原稿画像が最大何面記録できるかという計算ができるようになる。詳細な計算の流れは後述のフローチャートで示すが、同図の左部分にその計算結果を図で示している。出力用紙を縦位置に固定して考えるとして、すべての画像を縦長に配置して配列した場合と、すべての画像を横長に配置して配列した場合を計算し、余白を調べた結果、画像の向きを変えれば余白を埋めることができるかどうかを計算し、可能であれば異なる向きを混在させた場合の出力可能面数を求める。
【００１２】
上記の例では、すべての画像を縦長に置いて配列した場合、Ａ４サイズの幅（２１０ｍｍ）に対し、原稿の幅（５０ｍｍ）は４面分入って１０ｍｍの余白分が生ずる。また、Ａ４サイズの長さ（２９７ｍｍ）に対し、原稿の長さ（１４０ｍｍ）は２面分入って１７ｍｍの余白分が生ずる。この配列では原稿画像が合計８枚分形成できる。この面数を基礎配列面数と名づける。この配置では、どちらの余白にも原稿画像をこれ以上配置することができない。
同様に、すべての画像を横長に置いて配列した場合、Ａ４サイズの幅（２１０ｍｍ）に対し、原稿の長さ（１４０ｍｍ）は１面分入って７０ｍｍの余白分が生ずる。一方、Ａ４サイズの長さ（２９７ｍｍ）に対し、原稿の幅（５０ｍｍ）は５面分入って４７ｍｍの余白分が生ずる。このままでは、この配列によって原稿画像が５面しか形成できない。すなわち、基礎配列面数は５となる。しかし、記録用紙の幅方向に７０ｍｍの余白分があるので、ここに原稿画像を縦長に配置した場合、記録用紙は長さ方向に原稿２面分以上の大きさがあるので、さらに２面追加できる。この面数を余白配列面数と呼ぶ。したがって、合計７面分の画像形成ができる。合計面数を総配列面数と呼ぶ。
【００１３】
同図の左部分に示した図はこの割付状況の２つの結果を図形で示している。２つのうちではすべてを縦長に配列した場合の方が総配列面数が多いので、同図のように例えば一点鎖線で囲んで、この配列が最大面数であり、印刷の候補であることを強調して示す。強調手段は線で囲むほかに、図形を太い線で示したり、図形を点滅させるなど、公知の任意の方法が採用しうる。
その他の各条件に問題がなければ「ＯＫ」ボタンをクリックすれば画像形成が開始される。
割付を他方の候補に変えたい場合は、その図の方を選んでクリックすれば、強調される図形が替わって、印刷候補が変えられるようにしておくとよい。
【００１４】
以上は同一原稿を複数面形成する場合で説明したが、本発明は、同一サイズではあるが相異なる複数の原稿を同一記録用紙に形成する場合にも適用できる。例えば、紙が薄くて保管のしにくい売上伝票の整理などで、形状は同じであるが内容は１点ずつすべて異なる場合に適用できる。
また、単なるコピーではなく、孔版印刷機のように同一原稿を大量に複製する場合（例えば、案内状の作成、チケットの作成など）、上記で説明したリピートコピーが記録用紙の代わりに、孔版原紙に対して行われることになる。
【００１５】
図２ないし図４は印刷操作の開始から画像形成までの流れを示すブロック図である。
図２はパソコン（ＰＣ）から印刷機（孔版印刷機、プリンタを含む）に画像出力する場合、図３は複写機において原稿を読取らせて画像出力する場合、図４は孔版印刷機において、原稿を読取らせて製版する場合をそれぞれ示している。
各図において、基本的な流れはほぼ同じなので、図２を例に採り詳しく説明する。
初めに印刷すべき画像データを作成する。ＰＣの場合、画面上で直接描画して作成する場合のほか、画像をスキャナで読取って取りこむ場合、あるいはデジタルカメラで撮影した画像をインタフェースを介して取りこむ場合等、種々の作成手段が選べる。
次にリピートのモードを指定する。この指定は、２面、４面、９面等の規定の面数を画面上で選択して指定する標準リピートモードの選択と、原稿サイズと用紙サイズの関係で定まる最大面数を自動的に算出するカスタムリピートモードの選択をするリピート指定手段を用いて行う。
標準リピートモードの指定の場合は直ちに画像データの作成にかかることができる。
カスタムリピートモード指定の場合は、原稿サイズと印刷用紙のサイズを記憶させる。原稿サイズは、画面上で設定したサイズが、印刷設定画面の原稿サイズのところにデフォルトで入るようにしておくとよい。画面上で設定したサイズがそのままでよければ特に指定する必要はないが、外部機器から取りこんだ場合は、元の画像と異なるサイズに指定する必要が生ずる場合があり、そのときはキーボード等の数値入力装置から必要なデータを入力できるようにしておく。
【００１６】
印刷用紙もデフォルト値でよければ、そのままにしておけば面数の自動計算が行われる。印刷用紙のサイズを変更したい場合は、所望の用紙サイズを指定する。図１では、計算結果の割付状況を２種類図示して、最大の面数が取れる割付を一点鎖線で囲んで印刷候補として示す。この割付でよければそのまま「ＯＫ」ボタンをクリックすれば画像データの作成と、そのデータの印刷機への送り出しを行う。
印刷機は、指定されたサイズの用紙が印刷可能な状態で用意されていることを確認した上で、送られてきたデータに基づき印刷を実行する。
以上の流れを図３の複写機について見る場合、「複写データ作成手段」は複写機に備えられたスキャナのことになり、図４の孔版印刷機について見る場合は、「印刷データ作成手段」は原稿読み取り手段となる。
【００１７】
図５は図２に示したブロック図をフローチャートに置き直した図である。
同図において符号Ｓは流れのステップを示す（以下同様）。
印刷命令が出されると、リピートモードであるか否かがチェックされる（Ｓ１）。リピートモードでなければ画像作成（Ｓ５）へ跳ぶ。リピートモードであれば、それがカスタムリピートモードであるか否かをチェックする（Ｓ２）。カスタムリピートモードでなければ、標準リピートモードなので、指定されているリピートモードに従って（Ｓ４）、画像作成（Ｓ５）へ跳ぶ。カスタムリピートモードであれば、最大面数のリピートができる割付を自動計算する（Ｓ３）。画像作成（Ｓ５）が済んだら印刷へ進む（Ｓ６）。
【００１８】
図６は面数自動計算の詳細を示すフローチャートである。
同図は図５におけるステップ３の自動計算の内容を詳細に示している。
カスタムリピート命令の場合、初めに原稿サイズ（Ｓ１１）と印刷用紙サイズ（Ｓ１２）のそれぞれ長辺および短辺の長さを取得する。長さの単位は、全体の整合さえ取れていれば任意であるが、本発明では図１に示したようにｍｍを単位として用いることにする。
次に、基礎配列方向として、印刷用紙の長手方向と原稿の長手方向を一致させた場合の、最大の割付面数を調べる。ここでも、印刷用紙を縦位置に固定して考える。
まず、印刷用紙短辺に原稿短辺がいくつ取れるかを見る。この値は端数を切り捨てて整数値で得る。これを短辺連写数Ｓ１Ａと表す（Ｓ１３）。同様の考え方で、長手方向に関して長辺連写数Ｌ１Ａを取得する（Ｓ１４）。得られた２つの数値から、原稿と印刷用紙の長手方向を揃えた場合の基礎配列面数Ｄ１Ａは、短辺連写数Ｓ１Ａ×長辺連写数Ｌ１Ａとして得ることができる（Ｓ１５）。
【００１９】
印刷用紙に上記の配列面数を割り付けた場合に発生する余白を調べる。余白は長辺側と短辺側の両方に発生する可能性があるが、短辺側の余白はすでに原稿短辺より短いことが明白なのでチェックの必要がない。長辺側の余白は原稿長辺より短いことは明白であるが、原稿短辺よりは長い可能性があるので、その長さ、すなわち、長辺余白サイズを算出する（Ｓ１６）。この余白の用紙短辺方向が原稿の長辺より長ければ、縦長の用紙ではあるが原稿を横長に配置することができる可能性があるので、この向きの連写数である短辺連写数Ｓ１Ｂの計算をする（Ｓ１７）。長辺側余白サイズから原稿短辺がいくつ取れるかという余白連写数Ｌ１Ｂを算出する（Ｓ１８）。これらが得られたら、この余白に縦長の原稿が何面配列できるかという、余白配列面数Ｄ１Ｂを、上記短辺連写数Ｓ１Ｂ×余白連写数Ｌ１Ｂとして算出する（Ｓ１９）。
以上の結果から、長手方向を一致させた場合の総配列面数Ｄ１を基礎配列面数Ｄ１Ａと余白配列面数Ｄ１Ｂの和として求めることができる（Ｓ２０）。
【００２０】
次に、基礎配列方向として、印刷用紙長手方向に対して原稿短辺側を対応させた場合の配列面数を算出する。
初めに用紙短辺に原稿長辺がいくつ入り得るかを調べる。これを短辺連写数Ｓ２Ａとする（Ｓ２１）。次いで、用紙長辺に原稿短辺がいくつ入り得るかを調べる、これを長辺連写数Ｌ２Ａとする（Ｓ２２）。この配列方向の場合の基礎配列面数Ｄ２Ａは上記２つの配列数の積で表される（Ｓ２３）。印刷用紙に上記の基礎配列面数を割り付けたときに発生する余白のうち、短辺側余白には、原稿短辺を配置できる可能性が残っているので、この余白に配列可能な面数を調べる。そのためにはまず、短辺側の余白サイズを算出する（Ｓ２４）。この余白に原稿短辺がいくつ配置できるかという、余白連写数Ｓ２Ｂを求める（Ｓ２５）。余白の長手方向に原稿長辺がいくつ入り得るかという長辺連写数Ｌ２Ｂを求める（Ｓ２６）。
これらの２つの数値が得られれば、余白に全部で何面の原稿サイズが配置できるかという余白配列面数Ｄ２Ｂが算出できる（Ｓ２７）。
以上の結果から、長手方向を一致させない場合の総配列面数Ｄ２を基礎配列面数Ｄ２Ａと余白配列面数Ｄ２Ｂの和として求めることができる（Ｓ２８）。
【００２１】
以上によって、基礎配列方向の異なる２つの割付による総配列面数Ｄ１とＤ２が得られたので、最大配列面数としてどちらが大きいかをチェックし（Ｓ２９）、総配列面数Ｄ１がＤ２より小さくなければ、総配列面数Ｄ１の割付で画像を作成する（Ｓ３０）。そうでなければ、総配列面数Ｄ２の割付で画像形成を行う。
なお、このフローチャートでは示してないが、前述のように、算出された最大配列面数をそのまま印刷に使うことが希望に合わないとき、印刷に使う割付を変更する手段を設けてもよい。
【００２２】
図７、８はフローチャートを具体的な数値例で説明するための図である。
図７は原稿と印刷用紙のサイズを説明するための図。
図８は割付の図である。同図（ａ）は基礎配列方向として印刷用紙と原稿の長手方向を一致させた場合の図、同図（ｂ）は基礎配列方向として印刷用紙長辺に原稿短辺を配置した場合の図をそれぞれ示す。これらの図でも、出力用紙を縦位置に固定して表示してある。ただし、説明を容易にするため、印刷用紙は定型サイズにしていない。
今仮に、記録紙長（印刷用紙の長さ）が相対値で１３であったとし、その幅が５．５であったとする。これに対し、原稿が長辺３、短辺２であったとする。
図８（ａ）に示すように原稿長手方向を用紙長手方向に一致させた場合、この例では縦に長辺連写数Ｌ１Ａ＝４、横に短辺連写数Ｓ１Ａ＝２取ることができ、合計の基礎配列面数Ｄ１Ａは８面となる。これに対し、同図（ｂ）に示すように、上記長手方向を一致させなかった場合、用紙長手方向に長辺連写数Ｌ２Ａ＝６、横方向に短辺連写数Ｓ２Ａ＝１取ることができ、合計の基礎配列面数Ｄ２Ａ＝６面となる。
【００２３】
次に、それぞれの余白について吟味する。
同図（ａ）において、短辺側余白サイズは、原稿幅を最大に取った後の残りであるから、もはやこの余白に原稿サイズを割り振ることはできない。これに対し、長辺側余白サイズは、用紙長辺に対して、原稿の長辺を最大限に取った残りであるから、同じ長辺はもはや取ることができないが、原稿短辺に関しては、一般にはまだ取れる可能性が残っている。同図の例では長辺側余白サイズは１３−３×４＝１となり、原稿短辺２より小さいためこの余白に原稿画像を配列することはできない。すなわち、余白配列面数Ｄ１Ｂ＝０となる。その結果、
総配列面数Ｄ１＝Ｄ１Ａ＋Ｄ１Ｂ＝８
となる。
【００２４】
これに対し、同図（ｂ）に示す割付の場合、長辺側余白サイズは、原稿幅を最大に取った後の残りであるから、もはやこの余白に原稿サイズを割り振ることはできない。しかし、短辺側余白サイズは、用紙短辺に対して、原稿の長辺を最大限に取った残りであるから、同じ長辺はもはや取ることができないが、原稿短辺に関しては、一般にはまだ取れる可能性が残っている。同図の例では短辺側余白サイズは５．５−３×１＝２．５となり、原稿短辺２より大きいため、この余白なら原稿画像を配列することができる。余白連写数Ｓ２Ｂ＝２．５÷２＝１（余り０．５）となり、このとき長辺連写数Ｌ２Ｂ＝１３÷３＝４（余り１）となるので、余白配列面数Ｄ２Ｂ＝１×４＝４となる。したがって、
総配列面数Ｄ２＝Ｄ２Ａ＋Ｄ２Ｂ＝６＋４＝１０
となって、総配列面数Ｄ１より２面多く配列することができる。
したがって、印刷候補としては同図（ｂ）に示す割付の方を採用することになる。
【図面の簡単な説明】
【００２５】
【図１】本発明による印刷設定画面の一例を示す図である。
【図２】印刷操作の開始から画像形成までの流れを示すブロック図である。
【図３】印刷操作の開始から画像形成までの流れを示すブロックの図である。
【図４】印刷操作の開始から画像形成までの流れを示すブロック図である。
【図５】図２に示したブロック図をフローチャートに置き直した図である。
【図６】面数自動計算の詳細を示すフローチャートである。
【図７】フローチャートを具体的な数値例で説明するための図である。
【図８】フローチャートを具体的な数値例で説明するための図である。
【図９】従来の原稿多面連写印刷における設定画面を示す図である。
【図１０】警告表示の一例を示す図である。
【符号の説明】
【００２６】
Ｓ      ステップ
【図１】
2008142969.tif 000003
【図２】
2008142969.tif 000004
【図３】
2008142969.tif 000005
【図４】
2008142969.tif 000006
【図５】
2008142969.tif 000007
【図６】
2008142969.tif 000008
【図７】
2008142969.tif 000009
【図８】
2008142969.tif 000010
【図９】
2008142969.tif 000011
【図１０】
2008142969.tif 000012